(57)【要約】      （修正有）【課題】枠組みを解体して輸送でき、輸送または保管時の占用空間を減少させ、需要に基づいて、様々な枠組み構造に設計できる多機能通気性収納棚を提供する。【解決手段】多機能通気性収納棚は金属メッシュ構造の枠組み１を含み、枠組みは左フレーム１１、右フレーム１２を含み、左フレームと右フレームに少なくとも１組のスライドレール２が対応して取り付けられる。スライドレールに棚板またはかごが取り付けられ、スライドレールの内側の一端に止め板を有し、スライドレールの外側の一端の内壁に弾性位置制限装置２２が設置される。かごはスライドレール内に挿入し、スライドレールに沿ってスライドするスライド接続部品、スライド接続部品と接続される金属メッシュかご体を含み、スライド接続部品には、弾性位置制限装置と接触して、かごを位置制限させる位置制限突起が設けられる。【選択図】図１
0003224021.tif 000002
【実用新案登録請求の範囲】
【請求項１】
枠組み（１）を含む多機能通気性収納棚であって、前記枠組み（１）は左フレーム（１１）、右フレーム（１２）を含み、該左フレーム（１１）および右フレーム（１２）に少なくとも１組のスライドレール（２）が対応して取り付けられ、前記スライドレール（２）に、スライドレール（２）に沿ってスライドすることができる棚板（３）またはかご（４）が取り付けられ、前記スライドレール（２）の内側の一端に止め板（２１）を有し、スライドレール（２）の外側の一端の内壁に弾性位置制限装置（２２）が設置され、前記かご（４）は、スライドレール（２）内に挿入することができ、スライドレール（２）に沿ってスライドすることができるスライド接続部品（４１）、スライド接続部品（４１）と接続される金属メッシュかご体（４２）を含み、スライド接続部品（４１）に弾性位置制限装置（２２）と接触して、かご（４）を位置制限させることができる位置制限突起（４３）が設けられ、前記金属メッシュかご体（４２）は、４つの角に開口を有する１枚の金属メッシュ（４４）を折り曲げ、溶接して成形するか、または第１金属メッシュ（４５）、第２金属メッシュ（４６）および第３金属メッシュ（４７）を溶接して成形し、前記金属メッシュかご体（４２）の上部は、スライド接続部品（４１）の挿入溝（４８）内に挿入され、スライド接続部品（４１）と固定接続されるか、または前記金属メッシュかご体の上部がスライド接続部品（４１）と溶接されることを特徴とする収納棚。
【請求項２】
前記枠組み（１）は上フレーム（１３）、下フレーム（１４）および後フレーム（１５）をさらに含み、前記左フレーム（１１）および右フレーム（１２）の最上部に少なくともそれぞれ１つの第１接続部品（１６）が設けられ、上フレーム（１３）底部に第１接続部品（１６）と適合する第１孔（１７）が設けられ、第１接続部品（１６）を第１孔（１７）内に挿入して、左フレーム（１１）および右フレーム（１２）を上フレーム（１３）と接続させ、前記下フレーム（１４）の上部に少なくともそれぞれ１つの第２接続部品（１８）が設けられ、左フレーム（１１）および右フレーム（１２）の底部に第２接続部品（１８）と適合する第２孔（１９）が設けられ、第２接続部品（１８）を第２孔（１９）内に挿入して、左フレーム（１１）および右フレーム（１２）を下フレーム（１４）と接続させ、後フレーム（１５）は固定具（２０）により左フレーム（１１）および右フレーム（１２）の後部と接続されることを特徴とする、請求項１に記載の多機能通気性収納棚。
【請求項３】
前記枠組み（１）は上フレーム（１３）、下フレーム（１４）および後フレーム（１５）をさらに含み、前記左フレーム（１１）は第１左フレームユニット（１１１）および第２左フレームユニット（１１２）を挿着してなり、前記右フレーム（１２）は第１右フレームユニット（１２１）および第２右フレームユニット（１２２）を挿着してなり、前記第１左フレームユニット（１１１）、上フレーム（１３）および第１右フレームユニット（１２１）は、金属メッシュを一体に折り曲げることにより「Ｕ」型に成形され、前記第２左フレームユニット（１１２）、下フレーム（１４）および第２右フレームユニット（１２２）は、金属メッシュを一体に折り曲げることにより「Ｕ」型に成形され、第１左フレームユニット（１１１）および第１右フレームユニット（１２１）の底部に少なくともそれぞれ１つの第３接続部品（３０）が設けられ、前記第２左フレームユニット（１１２）および第２右フレームユニット（１２２）に第３接続部品（３０）と適合する第３孔（３１）が設けられ、前記第１左フレームユニット（１１１）および第２左フレームユニット（１１２）、並びに第１右フレームユニット（１２１）および第２右フレームユニット（１２２）の対応する端部に、それぞれ金属メッシュと溶接される補強管（１２３）が取り付けられ、前記上フレーム（１３）と第１左フレームユニット（１１１）および第１右フレームユニット（１２１）との角に補強部品（１２４）が取り付けられ、後フレーム（１５）は固定具（２０）により左フレーム（１１）および右フレーム（１２）の後部と接続されることを特徴とする、請求項１に記載の多機能通気性収納棚。
【請求項４】
前記枠組み（１）は上フレーム（１３）および後フレーム（１５）をさらに含み、前記左フレーム（１１）および右フレーム（１２）の最上部に少なくともそれぞれ１つの第１接続部品（１６）が設けられ、上フレーム（１３）底部に第１接続部品（１６）と適合する第１孔（１７）が設けられ、第１接続部品（１６）を第１孔（１７）内に挿入して、左フレーム（１１）および右フレーム（１２）を上フレーム（１３）と接続させ、前記左フレーム（１１）および右フレーム（１２）の下部に、左フレーム（１１）および右フレーム（１２）を折り畳むことができる連結要素モジュール（３２）が取り付けられ、後フレーム（１５）は固定具（２０）により左フレーム（１１）および右フレーム（１２）の後部と接続されることを特徴とする、請求項１に記載の多機能通気性収納棚。
【請求項５】
前記連結要素モジュール（３２）は第１連結要素（３２１）、第２連結要素（３２２）、第３連結要素（３２３）、第４連結要素（３２４）および第５連結要素（３２５）を含み、第１連結要素（３２１）の一端は左フレーム（１１）の一側の下部外側とヒンジ連結され、第２連結要素（３２２）の一端は左フレーム（１１）のもう一側の下部外側とヒンジ連結され、第３連結要素（３２３）の一端は右フレーム（１２）の一側の下部外側とヒンジ連結され、第４連結要素（３２４）の一端は右フレーム（１２）のもう一側の下部外側とヒンジ連結され、第１連結要素（３２１）、第３連結要素（３２３）のもう一端は第５連結要素（３２５）の一端とヒンジ連結され、第２連結要素（３２２）および第４連結要素（３２４）のもう一端は第５連結要素（３２５）のもう一端とヒンジ連結されることを特徴とする、請求項４に記載の多機能通気性収納棚。
【請求項６】
前記弾性位置制限装置（２２）は第１弾性片（２２１）、第２弾性片（２２２）を含み、前記第１弾性片（２２１）および第２弾性片（２２２）の一端はそれぞれスライドレール（２）と接続され、前記第１弾性片（２２１）および第２弾性片（２２２）のもう一端は自由端であることを特徴とする、請求項１に記載の多機能通気性収納棚。
【請求項７】
前記後フレーム（１５）は金属メッシュ構造であり、後フレーム（１５）の両側をそれぞれ折り畳んで折畳補強部（１５１）が形成され、後フレーム（１５）の両側にそれぞれ弧状凹部（１５２）を有し、後フレーム（１５）の上下両端に、後フレームの上下両端を覆う「Ｖ」型ストリップ（１５３）がそれぞれ取り付けられることを特徴とする、請求項１に記載の多機能通気性収納棚。
【請求項８】
前記左フレーム（１１）および右フレーム（１２）は金属メッシュ構造であり、左フレーム（１１）および右フレーム（１２）の両側をそれぞれ折り曲げて中空柱状の支持柱（１６８）が形成されることを特徴とする、請求項１に記載の多機能通気性収納棚。
【請求項９】
前記スライド接続部品（４１）の外側に、スライドレール（２）内に挿入することができ、スライドレール（２）に沿ってスライドすることができるスライド部（４１１）を有することを特徴とする、請求項１に記載の多機能通気性収納棚。
【請求項１０】
前記スライド接続部品（４１）の内側に、蓋を支持する突縁（４１２）を有することを特徴とする、請求項９に記載の多機能通気性収納棚。
【考案の詳細な説明】
【技術分野】
【０００１】
本考案は収納棚の技術分野に関し、より具体的に、多機能通気性収納棚に関する。
【背景技術】
【０００２】
生活または仕事中における収納、日常生活用品の整理は、いずれも収納棚を用いて収納する必要がある。しかし、既存の収納棚の多くは木製の収納棚であり、大量の木材を消費する必要があり、環境保護ではなく、重量も非常に重い。収納棚内の棚板または引き出しはいずれも通気構造ではなく、通気が悪く、置いた品物の通気に不利であり、品物に容易にカビが生え、臭くなるなどの現象が発生する。同時に、既存の収納棚は解体が難しく、輸送時または使用する必要がないとき、占用空間が比較的大きく、輸送コストが増加し、輸送時に容易に変形または損傷する。
【考案の概要】
【考案が解決しようとする課題】
【０００３】
本考案の目的は、既存技術における上記欠陥を克服することにあり、木材を節約し、環境を保護することができ、通気性が良好で、品物に容易にカビが生え、臭くなるなどが発生するのを防止し、枠組みの解体可能な接続を実現し、輸送時または使用する必要がないとき、枠組みを解体して輸送または保管することができ、輸送または保管時の占用空間を効果的に減少させ、輸送コストを大幅に低下させ、さらに枠組みの組立が便利であり、操作が簡単で解体、組立が便利な通気性収納棚を提供する。
【課題を解決するための手段】
【０００４】
上記目的を実現するため、本考案が提供する技術案は次の通りである。多機能通気性収納棚は枠組みを含み、前記枠組みは左フレーム、右フレームを含み、該左フレームおよび右フレームに少なくとも１組のスライドレールが対応して取り付けられる。前記スライドレールに、スライドレールに沿ってスライドすることができる棚板またはかごが取り付けられ、前記スライドレールの内側の一端に止め板を有し、スライドレールの外側の一端の内壁に弾性位置制限装置が設置される。前記かごは、スライドレール内に挿入することができ、スライドレールに沿ってスライドすることができるスライド接続部品、スライド接続部品と接続される金属メッシュかご体を含み、スライド接続部品に弾性位置制限装置と接触して、かごを位置制限させることができる位置制限突起が設けられる。前記金属メッシュかご体は、４つの角に開口を有する１枚の金属メッシュを折り曲げ、溶接して成形するか、または第１金属メッシュ、第２金属メッシュおよび第３金属メッシュを溶接して成形する。前記金属メッシュかご体の上部は、スライド接続部品の挿入溝内に挿入され、スライド接続部品と固定接続されるか、または前記金属メッシュかご体の上部がスライド接続部品と溶接される。
【０００５】
好適として、前記枠組みは上フレーム、下フレームおよび後フレームをさらに含み、前記左フレームおよび右フレームの最上部に少なくともそれぞれ１つの第１接続部品が設けられる。上フレーム底部に第１接続部品と適合する第１孔が設けられ、第１接続部品を第１孔内に挿入して、左フレームおよび右フレームを上フレームと接続させる。前記下フレームの上部に少なくともそれぞれ１つの第２接続部品が設けられ、左フレームおよび右フレームの底部に第２接続部品と適合する第２孔が設けられ、第２接続部品を第２孔内に挿入して、左フレームおよび右フレームを下フレームと接続させ、後フレームは固定具により左フレームおよび右フレームの後部と接続される。
【０００６】
好適として、前記枠組みは上フレーム、下フレームおよび後フレームをさらに含み、前記左フレームは第１左フレームユニットおよび第２左フレームユニットを挿着してなり、前記右フレームは第１右フレームユニットおよび第２右フレームユニットを挿着してなる。前記第１左フレームユニット、上フレームおよび第１右フレームユニットは、金属メッシュを一体に折り曲げることにより「Ｕ」型に成形され、前記第２左フレームユニット、下フレームおよび第２右フレームユニットは、金属メッシュを一体に折り曲げることにより「Ｕ」型に成形される。第１左フレームユニットおよび第１右フレームユニットの底部に少なくともそれぞれ１つの第３接続部品が設けられ、前記第２左フレームユニットおよび第２右フレームユニットに第３接続部品と適合する第３孔が設けられる。前記第１左フレームユニットおよび第２左フレームユニット、並びに第１右フレームユニットおよび第２右フレームユニットの対応する端部に、それぞれ金属メッシュと溶接される補強管が取り付けられ、前記上フレームと第１左フレームユニットおよび第１右フレームユニットとの角に補強部品が取り付けられ、後フレームは固定具により左フレームおよび右フレームの後部と接続される。
【０００７】
好適として、前記枠組みは上フレームおよび後フレームをさらに含み、前記左フレームおよび右フレームの最上部に少なくともそれぞれ１つの第１接続部品が設けられる。上フレーム底部に第１接続部品と適合する第１孔が設けられ、第１接続部品を第１孔内に挿入して、左フレームおよび右フレームを上フレームと接続させる。前記左フレームおよび右フレームの下部に、左フレームおよび右フレームを折り畳むことができる連結要素モジュールが取り付けられ、後フレームは固定具により左フレームおよび右フレームの後部と接続される。
【０００８】
好適として、前記後フレームは金属メッシュ構造であり、後フレームの両側をそれぞれ折り畳んで折畳補強部が形成される。後フレームの両側にそれぞれ弧状凹部を有し、後フレームの上下両端に、後フレームの上下両端を覆う「Ｖ」型ストリップがそれぞれ取り付けられる。
【０００９】
好適として、前記左フレームおよび右フレームは金属メッシュ構造であり、左フレームおよび右フレームの両側をそれぞれ折り曲げて中空柱状の支持柱が形成される。
【考案の効果】
【００１０】
既存技術と比較して、本考案の有益な効果は以下の通りである。
１、本考案の構造は簡単で、前記枠組みは左フレーム、右フレームを含み、該左フレームおよび右フレームに少なくとも１組のスライドレールが対応して取り付けられる。前記スライドレールに、スライドレールに沿ってスライドすることができる棚板またはかごが取り付けられ、前記スライドレールの内側の一端に止め板を有し、スライドレールの外側の一端の内壁に弾性位置制限装置が設置される。前記かごはスライドレールに沿ってスライドすることができ、かごに位置制限突起が設けられ、位置制限突起を介して弾性位置制限装置と係合し、かごの定位を実現し、かごがスライドレールにより引き出されるのを防止する。後フレームを設置しない状況では、前後が開口の開放型収納棚とすることができ；後フレームを設置し、前面が開口の収納棚とすることもできる。後フレームは固定具により左フレームおよび右フレームと解体可能に接続され、左フレームおよび右フレームは第１接続部品を介して上フレームと解体可能に接続され、左フレームおよび右フレームは第２接続部品を介して下フレームと解体可能に接続される。これにより枠組みの解体可能な接続を実現し、輸送時または使用する必要がないとき、枠組みを解体して輸送または保管することができる。輸送または保管時の占用空間を効果的に減少させ、輸送コストを大幅に低下させ、さらに枠組みの組立が便利であり、操作は簡単である。
【００１１】
２、本考案の枠組みは後フレームを有するか、または後フレームを有さない、下フレームを有するか、または下フレームを有さないように設計することができる。左フレームおよび右フレームは、連結要素モジュールにより左フレームおよび右フレームを折り畳むか、または開くことを実現する。ユーザの需要に基づいて様々な枠組み構造に設計することができ、市場の需要を効果的に満たす。
【００１２】
３、本考案中の上フレーム、下フレーム、左フレーム、右フレーム、前フレームおよび後フレームは金属メッシュ構造であり、枠組み内部の通風、通気性を効果的に保証し、枠組み内に保管した品物にカビが生えて変質するのを防止する。金属メッシュの両側を折り曲げて各フレームの強度を高めることができ、製品の製造品質を効果的に保証する。
【００１３】
４、上フレーム、下フレーム、左フレーム、右フレーム、前フレームおよび後フレームは金属メッシュ構造であり、木材を節約し、環境を保護することができる。金属メッシュは加圧、引張により一体成形し、金属材料を節約し、コストは低く、重量は軽い。
【００１４】
本考案の実施例または既存技術における技術案をより明確に説明するため、以下、実施例または既存技術の記載において使用する必要がある図について簡単に説明する。以下の記載における図は、本考案のいくつかの実施例であり、当業者が、創造的労働を行わない前提で、これらの図に基づいてその他の図を得ることもできることは明らかである。
【図面の簡単な説明】
【００１５】
【図１】図１は、本考案の多機能通気性収納棚の実施例１における、かごを取り付けていない立体構造概要図である。
【図２】図２は、本考案の多機能通気性収納棚の実施例１における、かごを取り付けた分解構造概要図である。
【図３】図３は、本考案の多機能通気性収納棚における棚板の構造概要図である。
【図４】図４は、本考案の多機能通気性収納棚におけるスライドレールの構造概要図である。
【図５】図５は、図４のＩ部分の拡大図である。
【図６】図６は、本考案の多機能通気性収納棚におけるかご１の立体構造概要図である。
【図７】図７は、図６の分解構造概要図である。
【図８】図８は、本考案の多機能通気性収納棚におけるかご２の立体構造概要図である。
【図９】図９は、図８の分解構造概要図である。
【図１０】図１０は、本考案の多機能通気性収納棚のかご２における、金属メッシュかご体を折り曲げず、溶接していない構造概要図である。
【図１１】図１１は、本考案の多機能通気性収納棚における金属メッシュかご体およびスライド接続部品を挿着した構造概要図１である。
【図１２】図１２は、本考案の多機能通気性収容棚における金属メッシュかご体およびスライド接続部品を挿着した構造概要図２である。
【図１３】図１３は、本考案の多機能通気性収容棚における金属メッシュかご体およびスライド接続部品を溶接した構造概要図である。
【図１４】図１４は、図１３の分解構造概要図である。
【図１５】図１５は、本考案の多機能通気性収納棚における後フレームの構造概要図である。
【図１６】図１６は、図１５の上面図である。
【図１７】図１７は、本考案の多機能通気性収納棚における上フレームの構造概要図である。
【図１８】図１８は、本考案の多機能通気性収納棚における左フレーム、右フレームの構造概要図である。
【図１９】図１９は、図１８のＡ−Ａ断面の拡大図である。
【図２０】図２０は、本考案の多機能通気性収納棚の実施例２における、かごを取り付けていない立体構造概要図である。
【図２１】図２１は、本考案の多機能通気性収納棚の実施例２における、かごを取り付けた分解構造概要図である。
【図２２】図２２は、本考案の多機能通気性収納棚の実施例３における、かごを取り付けていない立体構造概要図である。
【図２３】図２３は、本考案の多機能通気性収納棚の実施例３における、かごを取り付けた分解構造概要図である。
【図２４】図２４は、本考案の多機能通気性収納棚におけるハンガーパイプの構造概要図である。
【考案を実施するための形態】
【００１６】
本考案の実施例の目的、技術案および利点をより明確にするため、以下、本考案の実施例の図を組み合わせて、本考案の実施例中の技術案について、明確、完全に記載する。記載した実施例は本考案の一部の実施例であり、すべての実施例でないことは明らかである。本考案中の実施例に基づいて、当業者が創造的労働を行わない前提で得たすべてのその他の実施例は、いずれも本考案の保護範囲に属する。
【００１７】
実施例１
図１から図１９を参照されたい。本考案の実施例の多機能通気性収納棚は枠組み１を含み、前記枠組み１は左フレーム１１、右フレーム１２を含み、該左フレーム１１および右フレーム１２に少なくとも１組のスライドレール２が対応して取り付けられる。前記スライドレール２に、スライドレール２に沿ってスライドすることができるかご４が取り付けられ、前記スライドレール２の内側の一端は止め板２１を有し、スライドレール２の外側の一端の内壁に弾性位置制限装置２２が設置される。前記かご４は、スライドレール２内に挿入することができ、スライドレール２に沿ってスライドすることができるスライド接続部品４１、スライド接続部品４１と接続される金属メッシュかご体４２を含み、スライド接続部品４１に弾性位置制限装置２２と接触して、かご４を位置制限させることができる位置制限突起４３が設けられる。前記金属メッシュかご体４２は、第１金属メッシュ４５、第２金属メッシュ４６および第３金属メッシュ４７を溶接して成形される。前記金属メッシュかご体の上部は、スライド接続部品４１の挿入溝４８内に挿入され、スライド接続部品４１と固定接続される。以下、図を組み合わせて本実施例について詳細に説明する。
【００１８】
本実施例において、図１から図２に示すように、前記枠組み１は上フレーム１３、下フレーム１４および後フレーム１５をさらに含み、前記左フレーム１１および右フレーム１２の最上部に少なくともそれぞれ１つの第１接続部品１６が設けられ、上フレーム１３底部に第１接続部品１６と適合する第１孔１７が設けられ、第１接続部品１６を第１孔１７内に挿入して、左フレーム１１および右フレーム１２を上フレーム１３と接続させる。前記下フレーム１４の上部に少なくともそれぞれ１つの第２接続部品１８が設けられ、左フレーム１１および右フレーム１２の底部に第２接続部品１８と適合する第２孔１９が設けられ、第２接続部品１８を第２孔１９内に挿入して、左フレーム１１および右フレーム１２を下フレーム１４と接続させ、後フレーム１５は固定具２０により左フレーム１１および右フレーム１２の後部と接続される。これにより枠組み１の解体可能な接続を実現し、輸送時または使用する必要がないとき、枠組み１を解体して輸送または保管することができる。輸送または保管時の占用空間を効果的に減少させ、輸送コストを大幅に低下させ、さらに枠組みの組立および解体が便利であり、操作は簡単である。
【００１９】
各フレームは金属メッシュ構造を採用し、通気性は良好で、枠組み内に保管した品物にカビが生えて変質するのを防止する。
【００２０】
図６、図７に示すように、前記かご４は、スライドレール２内に挿入することができ、スライドレール２に沿ってスライドすることができるスライド接続部品４１、スライド接続部品４１と接続される金属メッシュかご体４２を含み、スライド接続部品４１に弾性位置制限装置２２と接触して、かご４を位置制限させることができる位置制限突起４３が設けられる。前記金属メッシュかご体４２は、第１金属メッシュ４５、第２金属メッシュ４６および第３金属メッシュ４７を溶接して成形され、３つの金属メッシュを金属メッシュかご体４２に溶接することを採用すると、深さが比較的深いかご４に非常に適しており、成形が便利で、生産コストを低下させる。
【００２１】
このうち、図４から図５に示すように、前記スライドレール２の外側の一端の内壁に弾性位置制限装置２２が設置され、前記弾性位置制限装置２２は第１弾性片２２１、第２弾性片２２２を含む。前記第１弾性片２２１および第２弾性片２２２の一端はそれぞれスライドレール２と接続され、前記第１弾性片２２１および第２弾性片２２２のもう一端は自由端である。かご４が枠組み１内からスライドレール２に沿って引き出され、スライド接続部品４１の位置制限突起４３が弾性位置制限装置２２と接触するとき、かご４を位置制限させる。二重スプリング構造を採用し、弾性位置制限装置の弾性を高め、かご４をスライドレール２内に挿入する、および位置制限を行うのが便利である。
【００２２】
本実施例の別の実施方式として、図８、図９および図１０に示すように、前記金属メッシュかご体４２は、４つの角に開口を有する１枚の金属メッシュ４４を折り曲げて溶接、成形したものであり、３つの金属メッシュを溶接、成形する必要はない。４つの角が開口である金属メッシュ４４を折り曲げて、金属メッシュかご体４２に溶接、成形することを採用すると、深さが比較的浅いかご４に適しており、コストを節約する。
【００２３】
図１１に示すように、前記スライド接続部品４１の外側に、スライドレール２内に挿入することができ、スライドレール２に沿ってスライドすることができるスライド部４１１を有する。好適として、図１２に示すように、前記スライド接続部品４１の内側に、蓋を支持する突縁４１２をさらに有する。蓋を突縁４１２上に置くと、金属メッシュかご体４２内の物を覆う。金属メッシュかご体４２は、挿着して押さえる方式により、スライド接続部品４１と接続される。
【００２４】
本実施例の別の実施方式として、図１３、図１４に示すように、前記金属メッシュかご体４２の上部を、溶接の方式によりスライド接続部品４１と接続することもできる。
【００２５】
図１５、図１６に示すように、前記後フレーム１５は金属メッシュ構造であり、後フレーム１５の両側をそれぞれ折り畳んで折畳補強部１５１が形成される。後フレーム１５の両側はそれぞれ弧状凹部１５２を有し、後フレーム１５の上下両端に、後フレームの上下両端を覆う「Ｖ」型ストリップ１５３がそれぞれ取り付けられる。
【００２６】
図１７に示すように、上フレーム１３は金属メッシュ構造であり、上フレーム１３の底部に第１接続部品１６と適合する第１孔１７が設けられる。
【００２７】
図１８、図１９に示すように、前記左フレーム１１および右フレーム１２は金属メッシュ構造であり、左フレーム１１および右フレーム１２の両側をそれぞれ折り曲げて、中空柱状の支持柱１６８が形成され、中空柱状の支持柱１６８は金属メッシュと一体成形される。
【００２８】
本実施例の別の実施方式として、前記スライドレール２に、スライドレール２に沿ってスライドすることができる棚板３を取り付けることもでき、収納棚を棚板式収納棚にする。棚板３は金属板または金属網板でも、木板またはガラス板でもよい。
【００２９】
好ましくは、前記下フレーム１４の底部に、さらに支持脚５８を取り付ける。支持脚５８は固定式支持脚でも、ローラでもよい。
【００３０】
好ましくは、各フレームの外表面に電気メッキ層または焼付塗料層またはフロック加工層が設けられ、収納棚の使用寿命および美観を高める。
【００３１】
図３に示すように、かご４を置換することもできる。スライドレール２内に、スライドレール２に沿ってスライドすることができる棚板３を取り付け、前記多機能通気性収納棚を棚板式収納棚にする。
【００３２】
図２４に示すように、左フレーム１１および右フレーム１２の上部にハンガーパイプ１６３を取り付けることもできる。左フレーム１１および右フレーム１２の下部に棚板３またはかご４を取り付け、収納棚に衣服を掛ける、および収納する機能を持たせる。さらに左フレーム１１および右フレーム１２にドアパネルを取り付けることができ、多機能閉鎖式収納棚を形成する。ドアパネルは金属板または金属網板でも、木板またはガラス板でもよい。
【００３３】
実施例２
実施例２における実施例１との違いは枠組み１の構造が異なることであり、その他の構造は実施例１と同じであるため、ここでは省略する。図２０、図２１に示すように、本実施において、前記枠組み１は上フレーム１３、下フレーム１４および後フレーム１５をさらに含み、前記左フレーム１１は第１左フレームユニット１１１および第２左フレームユニット１１２を挿着してなり、前記右フレーム１２は第１右フレームユニット１２１および第２右フレームユニット１２２を挿着してなる。前記第１左フレームユニット１１１、上フレーム１３および第１右フレームユニット１２１は、金属メッシュを一体に折り曲げることにより「Ｕ」型に成形され、前記第２左フレームユニット１１２、下フレーム１４および第２右フレームユニット１２２は、金属メッシュを一体に折り曲げることにより「Ｕ」型に成形される。第１左フレームユニット１１１および第１右フレームユニット１２１の底部に少なくともそれぞれ１つの第３接続部品３０が設けられ、前記第２左フレームユニット１１２および第２右フレームユニット１２２に第３接続部品３０と適合する第３孔３１が設けられ、後フレーム１５は固定具２０により左フレーム１１および右フレーム１２の後部と接続される。「Ｕ」型構造を採用すると、枠組み１の成形に便利であり、組立および解体も便利である。
【００３４】
このうち、前記第１左フレームユニット１１１および第２左フレームユニット１１２、並びに第１右フレームユニット１２１および第２右フレームユニット１２２の対応する端部に、それぞれ金属メッシュと溶接される補強管１２３が取り付けられ、左フレーム１１、右フレーム１２の強度を高める。
【００３５】
このうち、前記上フレーム１３と第１左フレームユニット１１１および第１右フレームユニット１２１との角に、補強部品１２４が取り付けられる。補強部品１２４により左フレーム１１、右フレーム１２と上フレーム１３との接続をより堅固にする。
【００３６】
実施例３
実施例３における実施例１との違いは枠組み１の構造が異なることであり、その他の構造は実施例１と同じであるため、ここでは省略する。図２２、図２３に示すように、本実施において、前記枠組み１は上フレーム１３および後フレーム１５をさらに含み、前記左フレーム１１および右フレーム１２の最上部に少なくともそれぞれ１つの第１接続部品１６が設けられ、上フレーム１３底部に第１接続部品１６と適合する第１孔１７が設けられ、第１接続部品１６を第１孔１７内に挿入して、左フレーム１１および右フレーム１２を上フレーム１３と接続させる。前記左フレーム１１および右フレーム１２の下部に、左フレーム１１および右フレーム１２を折り畳むことができる連結要素モジュール３２が取り付けられ、後フレーム１５は固定具２０により左フレーム１１および右フレーム１２の後部と接続される。
【００３７】
好ましくは、前記連結要素モジュール３２は、第１連結要素３２１、第２連結要素３２２、第３連結要素３２３、第４連結要素３２４および第５連結要素３２５を含む。第１連結要素３２１の一端は左フレーム１１の一側の下部外側とヒンジ連結され、第２連結要素３２２の一端は左フレーム１１のもう一側の下部外側とヒンジ連結され、第３連結要素３２３の一端は右フレーム１２の一側の下部外側とヒンジ連結され、第４連結要素３２４の一端は右フレーム１２のもう一側の下部外側とヒンジ連結される。第１連結要素３２１、第３連結要素３２３のもう一端は第５連結要素３２５の一端とヒンジ連結され、第２連結要素３２２および第４連結要素３２４のもう一端は、第５連結要素３２５のもう一端とヒンジ連結され、左フレーム１１および右フレーム１２が折畳可能であることを実現する。
【００３８】
本実施例において、上フレーム１３は空気を通さない板状構造を採用してもよく、木板、鉄板またはガラス板でよい。
【００３９】
本実施例において、連結要素モジュール３２は２本の横棒を採用して直接左フレーム１１および右フレーム１２と固定接続するように設計することもできる。
【００４０】
上記実施例は本考案の好ましい実施方式であるが、本考案の実施方式は上記実施例に制限されない。本考案の趣旨の本質および原理を逸脱せずに行うその他の変更、修飾、代替、組合せ、簡略化は、いずれも等価の置換方式であるべきであり、いずれも本考案の保護範囲内に包含される。
【図１】
0003224021.tif 000003
【図２】
0003224021.tif 000004
【図３】
0003224021.tif 000005
【図４】
0003224021.tif 000006
【図５】
0003224021.tif 000007
【図６】
0003224021.tif 000008
【図７】
0003224021.tif 000009
【図８】
0003224021.tif 000010
【図９】
0003224021.tif 000011
【図１０】
0003224021.tif 000012
【図１１】
0003224021.tif 000013
【図１２】
0003224021.tif 000014
【図１３】
0003224021.tif 000015
【図１４】
0003224021.tif 000016
【図１５】
0003224021.tif 000017
【図１６】
0003224021.tif 000018
【図１７】
0003224021.tif 000019
【図１８】
0003224021.tif 000020
【図１９】
0003224021.tif 000021
【図２０】
0003224021.tif 000022
【図２１】
0003224021.tif 000023
【図２２】
0003224021.tif 000024
【図２３】
0003224021.tif 000025
【図２４】
0003224021.tif 000026
【手続補正書】
【提出日】令和1年9月18日(2019.9.18)
【手続補正１】
【補正対象書類名】実用新案登録請求の範囲
【補正対象項目名】全文
【補正方法】変更
【補正の内容】
【実用新案登録請求の範囲】
【請求項１】
枠組み（１）を含む多機能通気性収納棚であって、前記枠組み（１）は左フレーム（１１）、右フレーム（１２）を含み、該左フレーム（１１）および右フレーム（１２）に少なくとも１組のスライドレール（２）が対応して取り付けられ、前記スライドレール（２）に、スライドレール（２）に沿ってスライドすることができる棚板（３）またはかご（４）が取り付けられ、前記スライドレール（２）の内側の一端に止め板（２１）を有し、スライドレール（２）の外側の一端の内壁に弾性位置制限装置（２２）が設置され、前記かご（４）は、スライドレール（２）内に挿入することができ、スライドレール（２）に沿ってスライドすることができるスライド接続部品（４１）、スライド接続部品（４１）と接続される金属メッシュかご体（４２）を含み、スライド接続部品（４１）に弾性位置制限装置（２２）と接触して、かご（４）を位置制限させることができる位置制限突起（４３）が設けられ、前記金属メッシュかご体（４２）は、４つの角に開口を有する１枚の金属メッシュ（４４）を折り曲げ、溶接して成形するか、または第１金属メッシュ（４５）、第２金属メッシュ（４６）および第３金属メッシュ（４７）を溶接して成形し、前記金属メッシュかご体（４２）の上部は、スライド接続部品（４１）の挿入溝（４８）内に挿入され、スライド接続部品（４１）と固定接続されるか、または前記金属メッシュかご体の上部がスライド接続部品（４１）と溶接されることを特徴とする収納棚。
【請求項２】
前記枠組み（１）は上フレーム（１３）、下フレーム（１４）および後フレーム（１５）をさらに含み、前記左フレーム（１１）および右フレーム（１２）の最上部に少なくともそれぞれ１つの第１接続部品（１６）が設けられ、上フレーム（１３）底部に第１接続部品（１６）と適合する第１孔（１７）が設けられ、第１接続部品（１６）を第１孔（１７）内に挿入して、左フレーム（１１）および右フレーム（１２）を上フレーム（１３）と接続させ、前記下フレーム（１４）の上部に少なくともそれぞれ１つの第２接続部品（１８）が設けられ、左フレーム（１１）および右フレーム（１２）の底部に第２接続部品（１８）と適合する第２孔（１９）が設けられ、第２接続部品（１８）を第２孔（１９）内に挿入して、左フレーム（１１）および右フレーム（１２）を下フレーム（１４）と接続させ、後フレーム（１５）は固定具（２０）により左フレーム（１１）および右フレーム（１２）の後部と接続されることを特徴とする、請求項１に記載の多機能通気性収納棚。
【請求項３】
前記枠組み（１）は上フレーム（１３）、下フレーム（１４）および後フレーム（１５）をさらに含み、前記左フレーム（１１）は第１左フレームユニット（１１１）および第２左フレームユニット（１１２）を挿着してなり、前記右フレーム（１２）は第１右フレームユニット（１２１）および第２右フレームユニット（１２２）を挿着してなり、前記第１左フレームユニット（１１１）、上フレーム（１３）および第１右フレームユニット（１２１）は、金属メッシュを一体に折り曲げることにより「Ｕ」型に成形され、前記第２左フレームユニット（１１２）、下フレーム（１４）および第２右フレームユニット（１２２）は、金属メッシュを一体に折り曲げることにより「Ｕ」型に成形され、第１左フレームユニット（１１１）および第１右フレームユニット（１２１）の底部に少なくともそれぞれ１つの第３接続部品（３０）が設けられ、前記第２左フレームユニット（１１２）および第２右フレームユニット（１２２）に第３接続部品（３０）と適合する第３孔（３１）が設けられ、前記第１左フレームユニット（１１１）および第２左フレームユニット（１１２）、並びに第１右フレームユニット（１２１）および第２右フレームユニット（１２２）の対応する端部に、それぞれ金属メッシュと溶接される補強管（１２３）が取り付けられ、前記上フレーム（１３）と第１左フレームユニット（１１１）および第１右フレームユニット（１２１）との角に補強部品（１２４）が取り付けられ、後フレーム（１５）は固定具（２０）により左フレーム（１１）および右フレーム（１２）の後部と接続されることを特徴とする、請求項１に記載の多機能通気性収納棚。
【請求項４】
前記枠組み（１）は上フレーム（１３）および後フレーム（１５）をさらに含み、前記左フレーム（１１）および右フレーム（１２）の最上部に少なくともそれぞれ１つの第１接続部品（１６）が設けられ、上フレーム（１３）底部に第１接続部品（１６）と適合する第１孔（１７）が設けられ、第１接続部品（１６）を第１孔（１７）内に挿入して、左フレーム（１１）および右フレーム（１２）を上フレーム（１３）と接続させ、前記左フレーム（１１）および右フレーム（１２）の下部に、左フレーム（１１）および右フレーム（１２）を折り畳むことができる連結要素モジュール（３２）が取り付けられ、後フレーム（１５）は固定具（２０）により左フレーム（１１）および右フレーム（１２）の後部と接続されることを特徴とする、請求項１に記載の多機能通気性収納棚。
【請求項５】
前記連結要素モジュール（３２）は第１連結要素（３２１）、第２連結要素（３２２）、第３連結要素（３２３）、第４連結要素（３２４）および第５連結要素（３２５）を含み、第１連結要素（３２１）の一端は左フレーム（１１）の一側の下部外側とヒンジ連結され、第２連結要素（３２２）の一端は左フレーム（１１）のもう一側の下部外側とヒンジ連結され、第３連結要素（３２３）の一端は右フレーム（１２）の一側の下部外側とヒンジ連結され、第４連結要素（３２４）の一端は右フレーム（１２）のもう一側の下部外側とヒンジ連結され、第１連結要素（３２１）、第３連結要素（３２３）のもう一端は第５連結要素（３２５）の一端とヒンジ連結され、第２連結要素（３２２）および第４連結要素（３２４）のもう一端は第５連結要素（３２５）のもう一端とヒンジ連結されることを特徴とする、請求項４に記載の多機能通気性収納棚。
【請求項６】
前記弾性位置制限装置（２２）は第１弾性片（２２１）、第２弾性片（２２２）を含み、前記第１弾性片（２２１）および第２弾性片（２２２）の一端はそれぞれスライドレール（２）と接続され、前記第１弾性片（２２１）および第２弾性片（２２２）のもう一端は自由端であることを特徴とする、請求項１に記載の多機能通気性収納棚。
【請求項７】
前記後フレーム（１５）は金属メッシュ構造であり、後フレーム（１５）の両側をそれぞれ折り畳んで折畳補強部（１５１）が形成され、後フレーム（１５）の両側にそれぞれ弧状凹部（１５２）を有し、後フレーム（１５）の上下両端に、後フレームの上下両端を覆う「Ｖ」型ストリップ（１５３）がそれぞれ取り付けられることを特徴とする、請求項２に記載の多機能通気性収納棚。
【請求項８】
前記左フレーム（１１）および右フレーム（１２）は金属メッシュ構造であり、左フレーム（１１）および右フレーム（１２）の両側をそれぞれ折り曲げて中空柱状の支持柱（１６８）が形成されることを特徴とする、請求項１に記載の多機能通気性収納棚。
【請求項９】
前記スライド接続部品（４１）の外側に、スライドレール（２）内に挿入することができ、スライドレール（２）に沿ってスライドすることができるスライド部（４１１）を有することを特徴とする、請求項１に記載の多機能通気性収納棚。
【請求項１０】
前記スライド接続部品（４１）の内側に、蓋を支持する突縁（４１２）を有することを特徴とする、請求項９に記載の多機能通気性収納棚。